(57)【要約】【課題】アノード用の高圧電圧の経路が未接続であることによる感電や放電の発生を防止する。【解決手段】フライバックトランス２に巻回され、ＣＲＴ１のアノード１０４用の高圧を発生する二次コイルＬ２ａ〜Ｌ２ｃの接地側端子２０１と所定電圧の電源経路Ｂ＋との間に接続されたアノード電流検出用抵抗Ｒ１を備えた構成において、接地側端子２０１の電圧の下降を検出する下降検出手段５と、電源オフ状態から電源オン状態に移行した後、所定期間が過ぎても下降検出手段５が接地側端子２０１の電圧の下降を検出しないときには水平出力トランジスタＱ２の動作を停止させる制御手段７とを備えている。【選択図】  図１
2005012513.tif 000002
【特許請求の範囲】
【請求項１】
装置本体の前面パネルに設けられ、電源のオンオフ等の情報が表示される表示部と、
フライバックトランスに巻回され、ＣＲＴのアノード用の高圧電圧を発生する二次コイルの接地側端子と所定電圧の電源経路との間に接続されたアノード電流検出用抵抗とを備えたテレビ受像機において、
前記接地側端子の電圧の下降を検出する下降検出手段と、
電源オフ状態から電源オン状態に移行した後、ＣＲＴの管面が明るくなると想定される時刻が過ぎても下降検出手段が前記接地側端子の電圧の下降を検出しないときには水平出力トランジスタの動作を停止させるとともに表示部を用いて高圧電圧の経路の接続の異常を示す警告表示を行う制御手段とを備え、
下降検出手段は、
一方の端子が前記接地側端子に接続されたコンデンサと、
前記コンデンサの他方の端子と論理回路用プラス電源との間に接続されたプルアップ抵抗とを備え、
前記コンデンサの他方の端子から検出結果を出力することを特徴とするテレビ受像機。
【請求項２】
フライバックトランスに巻回され、ＣＲＴのアノード用の高圧電圧を発生する二次コイルの接地側端子と所定電圧の電源経路との間に接続されたアノード電流検出用抵抗を備えたＣＲＴ表示装置において、
前記接地側端子の電圧の下降を検出する下降検出手段と、
電源オフ状態から電源オン状態に移行した後、所定期間が過ぎても下降検出手段が前記接地側端子の電圧の下降を検出しないときには水平出力トランジスタの動作を停止させる制御手段とを備えたことを特徴とするＣＲＴ表示装置。
【請求項３】
下降検出手段は、
一方の端子が前記接地側端子に接続されたコンデンサと、
前記コンデンサの他方の端子と論理回路用プラス電源との間に接続されたプルアップ抵抗とを備え、
前記コンデンサの他方の端子から検出結果を出力することを特徴とする請求項２記載のＣＲＴ表示装置。
【請求項４】
前記所定期間は、電源オフ状態から電源オン状態に移行した時刻からＣＲＴの管面が明るくなると想定される時刻までの期間であることを特徴とする請求項２または請求項３記載のＣＲＴ表示装置。
【発明の詳細な説明】
【０００１】
【発明の属する技術分野】
本発明は、フライバックトランスに巻回され、ＣＲＴのアノード用の高圧を発生する二次コイルの接地側端子と所定電圧の電源経路との間に接続されたアノード電流検出用抵抗を備えたテレビ受像機およびＣＲＴ表示装置に係り、より詳細には、高圧電圧の経路が未接続であるときには高圧電圧の発生を停止させるテレビ受像機およびＣＲＴ表示装置に関するものである。
【０００２】
【従来の技術】
テレビ受像機の生産ラインでは、ラインの工程の終わり近くにおいて、フライバックトランスが搭載された基板やＣＲＴ等の取り付けを完了したセットに商用電源を供給して動作させ、各種の検査を行うようになっている。一方、セットの側では、商用電源の供給が開始されると、高圧発生回路はアノード用の高圧電圧を発生し、出力する動作を行う（第１の従来技術とする）。
【０００３】
また、偏向コイルのコネクタが未接続の場合には、水平偏向回路の動作や高圧発生回路の動作を停止させる従来技術が提案されている（第２の従来技術とする）。すなわち、この技術では、水平偏向回路の出力端子と偏向ヨークとの間の接続異常を検出するために異常電圧検出部を設けている。そして、異常電圧検出部が接続異常を検出したときには、水平発振部への電源の供給を停止することによって、水平偏向回路の動作と高圧発生回路の動作とを停止させている（段落００２７）。あるいは、異常電圧検出部が接続異常を検出したときには、水平発振部と水平ドライブ回路との間に、異常電圧検出部からの信号を導くことによって、水平偏向回路の動作と高圧発生回路の動作とを停止させている（段落００２８）。このため、偏向コイル用のコネクタが未接続の場合には、水平偏向回路の動作や高圧発生回路の動作が停止されることになる（例えば、特許文献１参照）。
【０００４】
また、以下に示す従来技術が提案されている（第３の従来技術とする）。すなわち、この技術では、高圧部分で放電が発生すると、水平発振パルスにノイズが重畳されるので、このノイズをツェナーダイオードを用いて切り出している。また、切り出したノイズ成分をダイオードでもって整流し、コンデンサに蓄積している。そして、コンデンサの端子間電圧が一定レベルに達したときには、放電と判断するようになっている。なお、この判断においては、一定時間以上放電が続いているのか、あるいは単なる瞬間的なノイズに過ぎないのかが区別される。そして、一定時間以上に渡って続くようなノイズである場合には、放電であるとして、電力の供給を停止させている（例えば、特許文献２参照）。
【０００５】
【特許文献１】
特開平９−２４７４８８号
【特許文献２】
特開平１０−６５９３１号公報
【０００６】
【発明が解決しようとする課題】
しかしながら第１の従来技術においては、アノードキャップがＣＲＴのアノードに接続されていなかったり、あるいは、アノードグランドが接地されていなかったりした場合でも、高圧発生回路は高圧電圧を発生する。このため、アノードキャップやアノードグランドが未接続となっている場合では、予期しない箇所との間で放電することがあるので、セットが破壊される恐れが生じる。さらには、検査員の感電の恐れがあったりして、非常に危険である。そして、このような事態は、基板の修理時においても、同様に発生する。このため、高圧電圧の経路が未接続となっている場合では、未接続であることを検出して、高圧発生回路の動作を停止させる構成が望まれていた。
【０００７】
第２の従来技術は、偏向コイルのコネクタが未接続となった場合には、水平回路の動作と高圧発生の動作とが停止されるようになっている。しかし、アノード用の高圧電圧の経路が未接続となった場合の動作については全く記載されていない。このため、第１の従来技術において望まれている目的、すなわち、高圧電圧の経路が未接続となっているときに、高圧発生回路の動作を停止させようとする場合では、適用することが困難な技術となっていた。
【０００８】
また、第３の従来技術は、高圧の放電を検出するための構成となっている。このため、第１の従来技術において望まれている目的、すなわち、高圧電圧の経路が未接続となっているときに、高圧発生回路の動作を停止させようとする場合では、適用することが困難な技術となっていた。
【０００９】
本発明は上記課題を解決するため創案されたものであって、その目的は、所定時間が経過したときにも、フライバックトランスの高圧用の二次コイルの接地側端子の電圧に下降が生じないときには、アノード用の高圧電圧の経路が未接続であるとして、水平出力トランジスタの動作を停止させることにより、アノード用の高圧電圧の経路が未接続であることによる感電や放電の発生を防止することのでき、且つ、前記接地側端子の電圧の下降を検出する手段の構成を簡単化することのでき、且つ、アノード用の高圧電圧の経路が未接続であるときには、速いタイミングにおいて高圧電圧の発生を停止させることのでき、且つ、アノード用の高圧電圧の経路が未接続であることの警告を行うことのできるＣＲＴ表示装置を提供することにある。
【００１０】
また本発明の目的は、アノード用の高圧電圧の経路が未接続であるときには、電源をオンして後、ＣＲＴの管面が明るくなると想定される時刻となるときにも、フライバックトランスの高圧用の二次コイルの接地側端子の電圧に下降が生じなくなることに着目し、電源オンに移行した後、所定時間が経過したときにも、前記接地側端子の電圧に下降が生じないときには、アノード用の高圧電圧の経路が未接続であるとして、水平出力トランジスタの動作を停止させることにより、アノード用の高圧電圧の経路が未接続であることによる感電や放電の発生を防止することのできるＣＲＴ表示装置を提供することにある。
【００１１】
また上記目的に加え、前記接地側端子の電圧の下降を検出する手段の構成を簡単化することのできるＣＲＴ表示装置を提供することにある。
【００１２】
また上記目的に加え、アノード用の高圧電圧の経路が未接続であるときには、速いタイミングにおいて高圧電圧の発生を停止させることのできるＣＲＴ表示装置を提供することにある。
【００１３】
【課題を解決するための手段】
上記課題を解決するため本発明に係るテレビ受像機は、装置本体の前面パネルに設けられ、電源のオンオフ等の情報が表示される表示部と、フライバックトランスに巻回され、ＣＲＴのアノード用の高圧電圧を発生する二次コイルの接地側端子と所定電圧の電源経路との間に接続されたアノード電流検出用抵抗とを備えたテレビ受像機に適用している。そして、前記接地側端子の電圧の下降を検出する下降検出手段と、電源オフ状態から電源オン状態に移行した後、ＣＲＴの管面が明るくなると想定される時刻が過ぎても下降検出手段が前記接地側端子の電圧の下降を検出しないときには水平出力トランジスタの動作を停止させるとともに表示部を用いて高圧電圧の経路の接続の異常を示す警告表示を行う制御手段とを備え、下降検出手段は、一方の端子が前記接地側端子に接続されたコンデンサと、前記コンデンサの他方の端子と論理回路用プラス電源との間に接続されたプルアップ抵抗とを備え、前記コンデンサの他方の端子から検出結果を出力するようになっている。
【００１４】
すなわち、アノード用の高圧電圧の経路が正常に接続されている場合には、電源オフ状態から電源オン状態に移行すると、数秒の後、ＣＲＴの管面は暗い状態から明るい状態に移行する。そして、ＣＲＴの管面が暗い状態から明るい状態に移行するときには、接地側端子の電圧に下降が生じる。一方、アノード用の高圧電圧の経路が未接続の場合、ＣＲＴの管面が明るくなると想定される時刻になっても、ＣＲＴの管面は暗い状態から明るい状態に移行しない。このため、接地側端子の電圧には下降が生じない。つまり、下降検出手段の検出結果により、アノード用の高圧電圧の経路の接続が正常であるかどうかが示される。そして、アノード用の高圧電圧の経路の接続が正常でないときには、高圧電圧の発生が停止される。また、下降検出手段を２つの素子によって構成することができる。また、接地側端子の電圧は、ＣＲＴの管面が明るくなると想定される時刻Ｔまでには下降する。従って、接地側端子の電圧が下降したかどうかの検出が可能となるタイミングを過ぎた後では、直ちに、検出結果に対応した処理が行われる。また、アノード用の高圧電圧の経路が未接続の場合には、表示部において警告が表示される。
【００１５】
また本発明に係るＣＲＴ表示装置は、フライバックトランスに巻回され、ＣＲＴのアノード用の高圧電圧を発生する二次コイルの接地側端子と所定電圧の電源経路との間に接続されたアノード電流検出用抵抗を備えたＣＲＴ表示装置に適用している。そして、前記接地側端子の電圧の下降を検出する下降検出手段と、電源オフ状態から電源オン状態に移行した後、所定期間が過ぎても下降検出手段が前記接地側端子の電圧の下降を検出しないときには水平出力トランジスタの動作を停止させる制御手段とを備えている。
【００１６】
すなわち、アノード用の高圧電圧の経路が正常に接続されている場合には、電源オフ状態から電源オン状態に移行すると、数秒の後、ＣＲＴの管面は暗い状態から明るい状態に移行する。そして、ＣＲＴの管面が暗い状態から明るい状態に移行するときには、接地側端子の電圧に下降が生じる。一方、アノード用の高圧電圧の経路が正常に接続されていない場合では、ＣＲＴの管面が明るくなると想定される時刻になっても、ＣＲＴの管面は暗い状態から明るい状態に移行しない。このため、接地側端子の電圧には下降が生じない。つまり、下降検出手段の検出結果により、アノード用の高圧電圧の経路の接続が正常であるかどうかが示される。そして、アノード用の高圧電圧の経路の接続が正常でないときには、高圧電圧の発生が停止される。
【００１７】
また上記構成に加え、下降検出手段は、一方の端子が前記接地側端子に接続されたコンデンサと、前記コンデンサの他方の端子と論理回路用プラス電源との間に接続されたプルアップ抵抗とを備え、前記コンデンサの他方の端子から検出結果を出力するようになっている。すなわち、２つの素子によって下降検出手段を構成することができる。
【００１８】
また上記構成に加え、前記所定期間は、電源オフ状態から電源オン状態に移行した時刻からＣＲＴの管面が明るくなると想定される時刻までの期間となっている。すなわち、接地側端子の電圧は、ＣＲＴの管面が明るくなると想定される時刻までには下降する。従って、接地側端子の電圧が下降したかどうかの検出が可能となるタイミングを過ぎた後では、直ちに、検出結果に対応した処理が行われる。
【００１９】
【発明の実施の形態】
以下に本発明の実施例の形態を、図面を参照しつつ説明する。
図１は、本発明に係るＣＲＴ表示装置の一実施形態を用いたテレビ受像機の電気的構成を示すブロック線図である。
【００２０】
図において、映像信号処理回路２１は、入力された映像信号に対して所定処理を施し、３つの原色色信号を生成する。そして、生成した３つの原色色信号を駆動回路４に出力する。且つ、前記所定処理においては、通信制御部２３を介して与えられた制御手段７の指示に従い、映像信号における輝度や色の濃さ等を指示された輝度や濃さに設定する。また、ＡＣＬ信号（接地側端子２０１の電圧を示す信号（ＣＲＴ１のアノード電流を示す信号））４１に基づいて、ＣＲＴ１に表示される映像のコントラストを制限する。なお、ＡＣＬ信号は、Ａｕｔｏｍａｔｉｃ  Ｃｏｎｔｒａｓｔ  Ｌｉｍｉｔｔｅｒ信号の略称となっている。
【００２１】
駆動回路４は、ＣＲＴ１の後部に取り付けられる補助基板に形成された回路となっており、原色色信号のそれぞれを増幅するドライブトランジスタ等を備えている。そして、映像信号処理回路２１から出力される色信号を増幅して、ＣＲＴ１のカソードを駆動する。また、一方の端部がＣＲＴ１の外部導電膜１０１に接続されたアノードグランド線１０３の他方の端部を接続するための端子４０１が設けられている。なお、この端子４０１は、補助基板内において接地レベルに接続されている。
【００２２】
偏向用信号発生部２２は、映像信号から分離された水平同期信号と、フライバックトランス２から出力されるＡＦＣ信号（図示を省略）とに基づいて、駆動用の信号（プリドライブ信号）を生成する。そして、生成したプリドライブ信号を水平ドライブトランジスタＱ１（以下では、単にトランジスタＱ１と称する）のベースに出力する。
【００２３】
トランジスタＱ１は、偏向用信号発生部２２から出力されるプリドライブ信号に従ってドライブトランス３に流れる電流をスイッチングする。このため、トランジスタＱ１のベースにはプリドライブ信号が導かれている。また、コレクタはドライブトランス３の一次コイルＬ３１の一方の端子に接続され、エミッタは接地されている。そして、一次コイルＬ３１の他方の端子は、１１０Ｖ等のプラス電源Ｂ＋に接続されている。
【００２４】
水平出力トランジスタ（以下では、単にトランジスタと称する）Ｑ２は、ドライブトランス３の出力に従ってスイッチング動作を行うことにより、ＣＲＴ１に設けられた偏向コイル（図示を省略）を駆動する。また、フライバックトランス２を駆動する。このため、トランジスタＱ２のベースは、ドライブトランス３の二次コイルＬ３２の一方の端子に接続されている。また、二次コイルＬ３２の他方の端子とトランジスタＱ２のエミッタとは接地されている。そして、コレクタは、フライバックトランス２の一次コイルＬ１の一方の端子に接続されている。また、フライバックトランス２の一次コイルＬ１の他方の端子はプラス電源Ｂ＋に接続されている。
【００２５】
フライバックトランス２には、ＣＲＴ１のアノード１０４用の高圧電圧（以下では、単に高圧電圧と称する）を発生するため、複数に分割された二次コイルＬ２ａ〜Ｌ２ｃが巻回されている。そして、二次コイルＬ２ａの一方の端子は、ダイオードＤ１を介して、アノードキャップ１０５に接続されている。また、二次コイルＬ２ａとＬ２ｂとの間、および、二次コイルＬ２ｂとＬ２ｃとの間には、整流用のダイオードＤ２，Ｄ３が接続されている。また、二次コイルＬ２ｃの接地側端子２０１と、所定電圧の電源経路であるプラス電源Ｂ＋との間には、アノード電流検出用抵抗Ｒ１（以下では、単に抵抗Ｒ１と称する）が接続されている。
【００２６】
また、接地側端子２０１と接地レベルとの間には、交流的に短絡するためのコンデンサＣ１が接続されている。また、接地側端子２０１と接地レベルとの間には、接地側端子２０１の電圧が、０Ｖ近傍の電圧を超えないようにするため、接地側端子２０１の側から接地レベルの側に電流が流れる向きでもって、ダイオードＤ４が接続されている。
【００２７】
通信制御部２３は、２本の通信線（ＢＵＳＳ通信ライン）４４を介して、制御手段７と双方向性に接続されており、映像信号処理回路２１と偏向用信号発生部２２とを、制御手段７が指示した動作状態に設定する。すなわち、制御手段７がトランジスタＱ２の動作を指示するときには、トランジスタＱ１のベースを駆動する信号を偏向用信号発生部２２から出力させ、制御手段７がトランジスタＱ２の動作の停止を指示するときには、トランジスタＱ１のベースを駆動するプリドライブ信号の出力を停止させる。また、映像信号処理回路２１における映像信号の輝度や色の濃さ等を、制御手段７が指示した値となるように、映像信号処理回路２１を制御する。
【００２８】
下降検出手段５は、接地側端子２０１の電圧（ＡＣＬ信号４１の電圧）の下降を検出するブロックとなっており、下降したことを検出したときには、Ｌレベルを、経路４２を介して、制御手段７に送出する。このため、ＰＮＰトランジスタＱ３（以下では、単にトランジスタＱ３と称する）、２つのダイオードＤ６，Ｄ７、２つの抵抗Ｒ３，Ｒ４、および、コンデンサＣ３を備えていて、接地側端子２０１の電圧の下降を検出する微分回路を構成するようになっている。
【００２９】
詳細には、ダイオードＤ６のカソードは接地側端子２０１に接続されている。また、コンデンサＣ３の一方の端子はダイオードＤ６のアノードに接続され、他方の端子は、接地側端子２０１の電圧の下降の検出結果の出力点として、経路４２を介し、制御手段７に導かれている。また、コンデンサＣ３の他方の端子は、プルアップ抵抗Ｒ３を介して、電源オフ時にも５Ｖに維持されるプラス電源（論理回路用プラス電源）ＡＬ５に接続されている。
【００３０】
また、コンデンサＣ３の他方の端子の電圧範囲がマイナスとならないようにするため、コンデンサＣ３の他方の端子には、アノードが接地されたダイオードＤ７のカソードが接続されている。また、コンデンサＣ３の一方の端子には、トランジスタＱ３のコレクタが接続され、コンデンサＣ３の他方の端子には、トランジスタＱ３のエミッタが接続されている。そして、トランジスタＱ３のベースには、抵抗Ｒ４を介して、電源オフ時には０Ｖ、電源オン時には５Ｖとなるプラス電源ＰＯＮ５が導かれている。
【００３１】
チューナ８は、制御手段７から指示されたチャンネルの商用放送を受信する。そして、受信して得られた映像信号を映像信号処理回路２１に出力する。表示部６は、図２に示したように、装置本体５１の前面パネル５２に設けられた表示器であり、ＬＥＤ１５１によって電源のオンオフが表示される。また、数字表示器１５２によって、電源オフ時では時刻の表示が行われ、電源オン時では、受信中のチャンネル番号が表示されるようになっている。
【００３２】
制御手段７は、マイクロコンピュータを主要部として構成されており、テレビ受像機としての主要動作の制御（装置としての動作の制御）を行う。このため、チューナ８が受信するチャンネルを制御する。また、通信制御部２３を介して、映像信号処理回路２１の各種の動作状態を設定する。また、電源オフ状態から電源オン状態に移行したとき、下降検出手段５から、電圧の下降を示す検出結果（Ｌレベル）が送出されるかどうかを調べる。そして、ＣＲＴ１の管面が明るくなると想定される時刻になっても、電圧の下降を示すＬレベルが送出されないときには、高圧電圧の経路が未接続になっているとして、通信制御部２３を介し、偏向用信号発生部２２からトランジスタＱ１へのプリドライブ信号の送出を停止させ、水平出力トランジスタＱ２の動作を停止させる。
【００３３】
なお、映像信号処理回路２１、偏向用信号発生部２２、および、通信制御部２３からなるブロック９は、ビデオ・クロマＩＣとなっている。
【００３４】
図３は、実施形態の主要点のレベル変化を示す説明図である。必要に応じて同図を参照しつつ、実施形態の動作を説明する。
【００３５】
いま、アノードキャップ１０５がＣＲＴ１のアノード１０４に接続され、アノードグランド線１０３が駆動回路４の端子４０１に接続されているとする。すなわち、高圧電圧の経路が正常に形成されているとする。また、電源オフ状態にあることから、プラス電源ＰＯＮ５が０Ｖになっているとする。プラス電源ＰＯＮ５が０Ｖとなる場合、トランジスタＱ３には、抵抗Ｒ３と抵抗Ｒ４とを介してベース電流が流れ、トランジスタＱ３はオン状態となる。従って、コンデンサＣ３は放電された状態にある。
【００３６】
この状態において、電源オンの指示が入力されると、制御手段７は、図示されない電源部を制御することによって、各部が必要とする動作電源の供給を開始する（時刻Ｔ１）。このため、プラス電源ＰＯＮ５の電圧は、０Ｖから５Ｖに変化する。その結果、トランジスタＱ３においては、エミッタの電位とベース電位とが等しくなるので、トランジスタＱ３はオン状態からオフ状態に移行する。また、制御手段７は、偏向用信号発生部２２からプリドライブ信号を出力させ、トランジスタＱ１，Ｑ２を動作させる。このため、フライバックトランス２はトランジスタＱ２によって駆動され、アノード１０４には高圧電圧が印加されることになる。
【００３７】
そして、ＣＲＴ１のヒータが温まり、管面が明るくなるのに対応して、アノード電流が流れ出す（時刻Ｔ２）。アノード電流が流れ出すと、経路４１の電圧（接地側端子２０１の電圧）は、抵抗Ｒ１に生じた電圧降下によって、０Ｖからマイナス側に急激に下降する（６１により示す）。この急激な電圧の下降により、抵抗Ｒ３、コンデンサＣ３、ダイオードＤ６を介して、プラス電源ＡＬ５から経路４１の側に電流が流れる（抵抗Ｒ３の値は、コンデンサＣ３に電流が流れるときにも、経路４１の電圧への影響を少なくするため、抵抗Ｒ１の値より大きな値（例えば、５００ｋΩ等）に設定されている）。その結果、経路４２の電圧が０Ｖまで低下する。
【００３８】
一方、経路４１の電圧は、ＣＲＴ１の管面が暗い状態から明るくなるときには急激な下降を示すが、明るくなった後では、下降は停止する（時刻Ｔ３）。このため、コンデンサＣ３に流れる電流は、時刻Ｔ３となったときには、０近傍となるので、経路４２の電圧は５Ｖに戻る。そして、時刻Ｔ３の後では、ＣＲＴ１の管面の明るさは、制御手段７から指示された明るさとなるように、映像信号処理回路２１によって制御される。このため、時刻Ｔ３以後では、経路４１の電圧は、緩やかな変化を示すに過ぎなくなる。従って、経路４２の電圧は５Ｖから殆ど変化しなくなる。
【００３９】
すなわち、経路４２の電圧は、電源オフ状態から電源オン状態に移行した場合、ヒータが温まる数秒が経過したとき、数１００ｍ秒程度の期間において、５Ｖ（Ｈレベル）から０Ｖの近傍（Ｌレベル）に変化する。このため、制御手段７は、電源をオフ状態からオン状態に移行させたときには、経路４２のレベルを監視する。そして、ＣＲＴ１の管面が明るくなると想定される時刻Ｔ５までの期間（例えば、１０秒）内に経路４２にＬレベルが現れると、高圧電圧の経路は正常に接続されているとして、トランジスタＱ２の動作を継続させる。このため、ＣＲＴ１のアノードには高圧電圧が印加され続け、ＣＲＴ１の管面には、映像信号による画像が表示される。
【００４０】
上記した状態が続き、そして、電源オフの指示が入力された場合、制御手段７は、電源部を制御することによって、各ブロックへの動作電源の供給を停止する。このため、プラス電源ＰＯＮ５の電圧も、５Ｖから０Ｖに変化する（プラス電源ＡＬ５は５Ｖに維持される）。その結果、トランジスタＱ３にベース電流が流れるので、トランジスタＱ３は、オフ状態からオン状態に移行する。一方、コンデンサＣ３においては、時刻Ｔ２から時刻Ｔ３の間に電流が流れるので、この電流によって充電されており、端子間には電圧が発生している（図２のＶ１により示す）。しかし、この電圧を生じる電荷は、電源がオフとなったとき（時刻Ｔ４）、オン状態に移行したトランジスタＱ３を介して放電される。従って、次回に電源オンとするときには、コンデンサＣ３は放電されているため、経路４１の電圧の下降が生じるときには、上記した動作が再び実行されることになる。
【００４１】
以下に補足的な説明を行うと、トランジスタＱ３を省略した構成とするときでは、電源オフとなるときにも、コンデンサＣ３の電荷は放電されない（あるいは、放電に長時間を要する）。そして、コンデンサＣ３に電荷が充電されたままであるときには、電源がオフ状態からオン状態に移行し、経路４１の電圧に急激な下降が生じるときにも、コンデンサＣ３には電流が流れない。従って、高圧電圧の経路の接続が正常であるときにも、経路４２にはＬレベルが現れないことになる。つまり、正しく検出を行うことができなくなる。トランジスタＱ３と抵抗Ｒ４とは、上記した不都合を解消するための素子となっている。なお、ダイオードＤ６は、コンデンサＣ３に充電された電荷が、経路４１を介して、放電されることを防止するように作用する（映像信号処理回路２１の経路４１のための入力回路を破壊から保護する）。
【００４２】
以上で、高圧電圧の経路の接続が正常である場合の動作説明を終了し、以下に、アノードキャップ１０５がアノード１０４に接続されていなかったり、あるいは、アノードグランド線１０３が端子４０１に接続されていなかったりした場合の動作について説明する。
【００４３】
アノードキャップ１０５がアノード１０４に接続されていなかったり、アノードグランド線１０３が端子４０１に接続されていなかったりした場合では、高圧電圧の電流経路が形成されない。このため、電源オフ状態から電源オン状態に移行し、ヒータが温まった後（時刻Ｔ２以後）にも、経路４１の電圧には下降が生じない（破線６２により示す）。このため、コンデンサＣ３には電流が流れないので、経路４２のレベルはＨレベルから変化しない（破線６３により示す）。
【００４４】
このため、制御手段７は、電源オンとなったとき（時刻Ｔ１）から１０秒が経過したとき（ＣＲＴ１の管面が明るくなると想定される時刻Ｔ５となったとき）にも、経路４２にＬレベルが現れなかった場合には、高圧電圧の経路に不具合が生じていると判定する。そして、この判定を行ったとき、制御手段７は、通信制御部２３を介し、偏向用信号発生部２２がプリドライブ信号を出力する動作を停止させ、トランジスタＱ１の動作を停止させる。このため、トランジスタＱ２も、フライバックトランス２を駆動する動作を停止する。その結果、フライバックトランス２からの高圧電圧の出力が停止される。つまり、高圧電圧の経路が形成されなかった場合（アノードキャップ１０５がアノード１０４に接続されなかったり、アノードグランド線１０３が端子４０１に接続されなかったりした場合）では、電源オンした後、１０秒程度の短い期間が経過したときに、高圧電圧の出力が停止される。
【００４５】
また、制御手段７は、高圧電圧の出力を停止される制御を行ったときには、表示部６の電源オンを示すＬＥＤ１５１を点滅表示することでもって、アノードキャップ１０５がアノード１０４に接続されていないか、または、アノードグランド線１０３が端子４０１に接続されていないことを警告表示する。
【００４６】
なお、本発明は上記実施形態に限定されず、電源オンとなったときから、ＣＲＴ１の管面が明るくなると想定される時刻までの期間については、１０秒とした場合について説明したが、その他の期間として、例えば、８秒、あるいは、１２秒、等とすることができる。
【００４７】
また、下降検出手段については、接地側端子２０１の電圧の下降を検出する微分回路とした場合について説明したが、その他の構成として、例えば、接地側端子２０１の電圧が所定のマイナス電位より低くなるかどうかに基づいて、接地側端子２０１の電圧が下降したかどうかを検出する構成等とすることができる。
【００４８】
【発明の効果】
以上説明したように本発明では、フライバックトランスの高圧用の二次コイルの接地側端子の電圧の下降を検出する下降検出手段と、電源オフ状態から電源オン状態に移行した後、ＣＲＴの管面が明るくなると想定される時刻が過ぎても下降検出手段が前記接地側端子の電圧の下降を検出しないときには水平出力トランジスタの動作を停止させるとともに表示部を用いて高圧電圧の経路の接続の異常を示す警告表示を行う制御手段とを備えている。また、下降検出手段は、一方の端子が前記接地側端子に接続されたコンデンサと、前記コンデンサの他方の端子と論理回路用プラス電源との間に接続されたプルアップ抵抗とを備え、前記コンデンサの他方の端子から検出結果を出力するようになっている。すなわち、下降検出手段の検出結果により、アノード用の高圧電圧の経路の接続が正常であるかどうかが示され、アノード用の高圧電圧の経路の接続が正常でないときには、高圧電圧の発生が停止される。また、下降検出手段は２つの素子により構成される。また、接地側端子の電圧が下降したかどうかの検出が可能となるタイミングを過ぎた後では、直ちに、検出結果に対応した処理が行われる。また、アノード用の高圧電圧の経路が未接続の場合には、表示部において警告が表示される。このため、アノード用の高圧電圧の経路が未接続であることによる感電や放電の発生を防止することができ、且つ、接地側端子の電圧の下降を検出する手段の構成を簡単化することができ、且つ、アノード用の高圧電圧の経路が未接続であるときには、速いタイミングにおいて高圧電圧の発生を停止させることができ、且つ、アノード用の高圧電圧の経路が未接続であることの警告を行うことができる。
【００４９】
また本発明では、フライバックトランスの高圧用の二次コイルの接地側端子の電圧の下降を検出する下降検出手段と、電源オフ状態から電源オン状態に移行した後、所定期間が過ぎても下降検出手段が前記接地側端子の電圧の下降を検出しないときには水平出力トランジスタの動作を停止させる制御手段とを備えている。このため、下降検出手段の検出結果により、アノード用の高圧電圧の経路の接続が正常であるかどうかが示される。そして、アノード用の高圧電圧の経路の接続が正常でないときには、高圧電圧の発生が停止されるので、アノード用の高圧電圧の経路が未接続であることによる感電や放電の発生を防止することができる。
【００５０】
またさらに、下降検出手段は、一方の端子が前記接地側端子に接続されたコンデンサと、前記コンデンサの他方の端子と論理回路用プラス電源との間に接続されたプルアップ抵抗とを備え、前記コンデンサの他方の端子から検出結果を出力するようになっている。従って、下降検出手段は２つの素子により構成されるので、接地側端子の電圧の下降の検出手段の構成を簡単化することができる。
【００５１】
またさらに、前記所定期間は、電源オフ状態から電源オン状態に移行した時刻からＣＲＴの管面が明るくなると想定される時刻までの期間となっている。従って、接地側端子の電圧が下降したかどうかの検出が可能となるタイミングを過ぎた後では、直ちに、検出結果に対応した処理が行われるので、速いタイミングにおいて高圧電圧の発生を停止させることができる。
【図面の簡単な説明】
【図１】本発明に係るＣＲＴ表示装置の一実施形態を用いたテレビ受像機の電気的構成を示すブロック線図である。
【図２】装置本体の前面パネルの様子を示す説明図である。
【図３】実施形態の主要点のレベル変化を示す説明図である。
【符号の説明】
１  ＣＲＴ
２  フライバックトランス
５  下降検出手段
６  表示部
７  制御手段
４１  接地側端子の経路（ＡＣＬ信号）
４２  下降検出手段の検出結果の出力経路
５１  装置本体
５２  前面パネル
１０１  外部導電膜
１０３  アノードグランド線
１０４  アノード
１０５  アノードキャップ
２０１  接地側端子
ＡＬ５  電源オフ時にも５Ｖに維持されるプラス電源（論理回路用プラス電源）
Ｂ＋  所定電圧の電源経路
Ｃ３  コンデンサ
Ｌ２ａ〜Ｌ２ｃ  二次コイル
ＰＯＮ５  電源オフ時には０Ｖとなる５Ｖのプラス電源
Ｑ２  水平出力トランジスタ
Ｒ１  アノード電流検出用抵抗
Ｒ３  プルアップ抵抗
【図１】
2005012513.tif 000003
【図２】
2005012513.tif 000004
【図３】
2005012513.tif 000005